(57)【要約】【課題】通気性を有する生地で構成される帽子部と被覆部との間に送風管の先端放出部を配置することで、帽子部及び被覆部の広い範囲から空気を通過させて、顔面や目に対する刺激を略無くしながら高い冷却効率を発揮する頭部冷却構造を提供する。【解決手段】通気性を有する第１の生地で構成され、人の頭部に装着される帽子部１０と、通気性を有する第２の生地で構成され、前記帽子部の頭頂部１１表面にその周縁２１が接合され積層される被覆部２０と、空気を放出する先端放出部３１が前記帽子部と前記被覆部との間に設けられる送風管３０と、を備える。【選択図】図１
2020084336.tif 000002
【特許請求の範囲】
【請求項１】
通気性を有する第１の生地で構成され、人の頭部に装着される帽子部と、
通気性を有する第２の生地で構成され、前記帽子部の頭頂部表面にその周縁が接合され積層される被覆部と、
空気を放出する先端放出部が前記帽子部と前記被覆部との間に設けられる送風管と、
を備えることを特徴とする頭部冷却構造。
【請求項２】
前記第１の生地より前記第２の生地の方が通気性に優れていることを特徴とする請求項１に記載の頭部冷却構造。
【請求項３】
前記帽子部の後側に、人の襟首を覆うとともに襟首に対応する部分に空気導入口が設けられた垂下部を備え、
通気性がない第３の生地で構成され、前記被覆部に被されて前記被覆部を通過した空気が流入する流入口、前記流入口からの空気を襟首まで導く導風部、及び前記垂下部に被されて前記空気導入口に空気を排出する排出口を備えるカバー部を備えることを特徴とする請求項１又は２に記載の頭部冷却構造。
【請求項４】
前記垂下部が口元まで覆うように構成され、前記帽子部と前記垂下部とで頭巾状をなすことを特徴とする請求項３に記載の頭部冷却構造。
【請求項５】
前記帽子部及び前記被覆部の上からさらにヘルメットが装着されることを特徴とする請求項１又は２に記載の頭部冷却構造。
【請求項６】
前記カバー部の上からさらにヘルメットが装着されることを特徴とする請求項３又は４に記載の頭部冷却構造。
【請求項７】
前記ヘルメットの上からさらにフード付きの防護服が着用されることを特徴とする請求項６に記載の頭部冷却構造。
【発明の詳細な説明】
【技術分野】
【０００１】
本発明は、作業現場で働く作業員の頭部を冷却する頭部冷却構造に関する。
【背景技術】
【０００２】
従来、防護帽において気体の供給によるフード部内の騒音を低減することを目的として、特開２０１３−１２７１２９号公報に、フード部と、前記フード部の少なくとも後頭部から頭頂部より前方にかけて形成され、後頭部側の後端開口から送風管を挿入可能であり、頭頂部より前方側の先端開口から前記フード部内に気体を流入させる気体供給路と、を有し、前記気体供給路と前記フード部内との間には仕切り膜が形成されている防護帽が開示されている。
【先行技術文献】
【特許文献】
【０００３】
【特許文献１】特開２０１３−１２７１２９号公報
【発明の概要】
【発明が解決しようとする課題】
【０００４】
しかし、特許文献１に開示されている防護帽では、空気が前方側の先端開口から集中的に供給され、流入した空気が顔面近傍を通過する構成となっている。このため、作業者によっては不快感を感じるおそれがあり、また流入する空気で目が乾燥する恐れもある。
【０００５】
本発明は、上記の点に鑑みなされたもので、通気性を有する生地で構成される帽子部と被覆部との間に送風管の先端放出部を配置することで、帽子部及び被覆部の広い範囲から空気を通過させて、顔面や目に対する刺激を略無くしながら高い冷却効率を発揮する頭部冷却構造を提供することを目的とする。
【課題を解決するための手段】
【０００６】
（１）本発明の頭部冷却構造は、
通気性を有する第１の生地で構成され、人の頭部に装着される帽子部と、
通気性を有する第２の生地で構成され、前記帽子部の頭頂部表面にその周縁が接合され積層される被覆部と、
空気を放出する先端放出部が前記帽子部と前記被覆部との間に設けられる送風管と、
を備えることを特徴とする。
【０００７】
本発明の頭部冷却構造によれば、帽子部と被覆部とが重ね合わされて、その間に送風管の先端放出部が配置されている。また、帽子部と被覆部は通気性を有する生地で構成されており、その双方を空気が通過する。このため、比較的広い面積から空気が放出され、当該広い面積から熱を奪って高い冷却効率を得ることができる。
【０００８】
（２）本発明の頭部冷却構造の好ましい例は、
前記第１の生地より前記第２の生地の方が通気性に優れていることを特徴とする。
【０００９】
本発明の頭部冷却構造の好ましい例によれば、被覆部を通過する空気が多くなる。これにより、帽子部が浮くことがなく装着性が高まる。
【００１０】
（３）本発明の頭部冷却構造の好ましい例は、
前記帽子部の後側に、人の襟首を覆うとともに襟首に対応する部分に空気導入口が設けられた垂下部を備え、
通気性がない第３の生地で構成され、前記被覆部に被されて前記被覆部を通過した空気が流入する流入口、前記流入口からの空気を襟首まで導く導風部、及び前記垂下部に被されて前記空気導入口に空気を排出する排出口を備えるカバー部を備えることを特徴とする。
【００１１】
本発明の頭部冷却構造の好ましい例によれば、空気導入口が設けられた垂下部、及び被覆部を通過した空気を空気導入口まで導くカバー部を備えるため、作業者の首もとも冷却することができる。なお、ここで通気性のない第３の生地とは、完全に空気が通過しないものを含めるのは勿論であるが、例えばウインドブレーカー等に用いられるような殆ど空気を通さない生地、又は微細な多数の穴が設けられており水は通さないが蒸気は通過させるような生地も含めることを意図する。
【００１２】
（４）本発明の頭部冷却構造の好ましい例は、
前記垂下部が口元まで覆うように構成され、前記帽子部と前記垂下部とで頭巾状をなすことを特徴とする。
【００１３】
本発明の頭部冷却構造の好ましい例によれば、帽子部と垂下部とで頭巾状をなすため、作業者を保護することができ安全性を高めることができる。また、空気導入口から首を冷却した空気が口元に抜け、作業者が呼吸を楽にすることができる。
【００１４】
（５）本発明の頭部冷却構造の好ましい例は、
前記帽子部及び前記被覆部の上からさらにヘルメットが装着されることを特徴とする。
【００１５】
本発明の頭部冷却構造の好ましい例によれば、ヘルメットをさらに装着するため、作業者の安全性が増す。また、被覆部を通過した空気がヘルメットの内側を流通し、高い冷却効率を保つことができる。
【００１６】
（６）本発明の頭部冷却構造の好ましい例は、
前記カバー部の上からさらにヘルメットが装着されることを特徴とする。
【００１７】
本発明の頭部冷却構造の好ましい例によれば、ヘルメットをさらに装着するため、作業者の安全性が増す。また、カバー部の内側には空気が流通して隙間が生じるため、ヘルメットによる頭部への当たり方が柔らかくなり、ヘルメットを装着することによる作業者の不快感を低減させることができる。
【００１８】
（７）本発明の頭部冷却構造の好ましい例は、
前記ヘルメットの上からさらにフード付きの防護服が着用されることを特徴とする。
【００１９】
本発明の頭部冷却構造の好ましい例によれば、液体等が飛散するような環境においても作業することができるとともに、作業者を効果的に冷却すること及び呼吸を助けることができる。
【発明の効果】
【００２０】
上述したように、本発明の頭部冷却構造によれば、通気性を有する生地で構成される帽子部と被覆部との間に送風管の先端放出部を配置することで、帽子部及び被覆部の広い範囲から空気を通過させて、顔面や目に対する刺激を略無くしながら高い冷却効率を発揮することができる。
【図面の簡単な説明】
【００２１】
【図１】本発明の一実施形態に係る頭部冷却構造を説明する図である。
【図２】本発明の他の実施形態に係る頭部冷却構造を説明する図である。
【図３】図２に示す頭部冷却構造の空気の流れを説明する図である。
【図４】帽子部と垂下部とを頭巾状にしたものを説明する図である。
【図５】図４に示す帽子部と垂下部とを用いた頭部冷却構造の空気の流れを説明する図である。
【図６】ヘルメットの上から防護服を着用した状態を説明する図である。
【発明を実施するための形態】
【００２２】
以下、本発明の頭部冷却構造１，２，３の実施の形態について、添付図面を参照して詳細に説明する。
［第１実施形態］
図１を参照して本発明の第１実施形態に係る頭部冷却構造１を説明する。本実施形態の頭部冷却構造１は、帽子部１０と、被覆部２０と、送風管３０とを備える。
【００２３】
帽子部１０は、通気性を有する第１の生地で構成され、人の頭部に装着されるものである。この生地としては帽子に採用され得る様々な布地を用いることができる。被覆部２０は、前記第１の生地より通気性に優れた第２の生地で構成され、帽子部１０の頭頂部１１表面にその周縁２１が接合され積層されるものである。この第２の生地として、例えば、前記第１の生地より薄く構成された布地やタオル生地、ネル生地等が用いられる。本実施形態の頭部冷却構造１では、この被覆部２０にネル生地を採用している。
【００２４】
送風管３０は、図示しないエアーコンプレッサ等から送られてくる空気を帽子部１０と被覆部２０との間に放出するもので、空気を放出する先端放出部３１が帽子部１０と被覆部２０との間に設けられる。本実施形態では、この先端放出部３１は、帽子部１０と被覆部２０の周縁２１とが接合されるうちの一部から挿入されるが、例えば、帽子部１０又は被覆部２０のいずれかに穴を設けて、その穴から差し込んでも良い。そして、差し込まれた先端放出部３１から放出された空気は、接合されておらず積層されているだけの帽子部１０の頭頂部１１と被覆部２０の中央部に広がり、当該部分より帽子部１０を構成する第１の生地及び被覆部２０を構成する第２の生地を通過して拡散される。これにより、作業者の顔面や目に空気を当てることなく、作業者の頭頂部１１全域を冷却することができる。
【００２５】
また、本実施形態の頭部冷却構造１は、帽子部１０及び被覆部２０の上からさらにヘルメット６０を装着することもできる。このヘルメット６０を装着した場合、帽子部１０及び被覆部２０より拡散された冷却用の空気は、帽子部１０及び被覆部２０とヘルメット６０との隙間を通じて排出される。これにより、作業者の安全性を高めながら、作業者の頭部を効率よく冷却することができる。
【００２６】
［第２実施形態］
次に、図２及び図３を参照して、本発明の第２実施形態に係る頭部冷却構造２を説明する。図２に示すように、本実施形態の頭部冷却構造２は、帽子部１０と、被覆部２０と、送風管３０と、垂下部４０と、カバー部５０とを備える。帽子部１０、被覆部２０、送風管３０は第１実施形態と同じ構成であるため、同じ符号を付して説明を省略する。
【００２７】
垂下部４０は、帽子部１０の後側の周縁から垂下されるもので、作業者の後頭部から襟首を覆うとともに襟首に対応する部分に空気導入口４２が設けられる。この垂下部４０は、帽子部１０と同じ第１の生地で構成される。
【００２８】
カバー部５０は、通気性がない第３の生地で構成され、流入口５１、導風部５２、排出口５３を備える。この第３の生地として、本実施形態では、防寒目的で着用するウインドブレーカーに用いられるナイロンやポリエステル等の生地を採用している。流入口５１は、被覆部２０に被されて前記被覆部２０を通過した空気をカバー部５０に流入させるためのもので、作業者の頭に被される程度の大きさの開口を備える。導風部５２は、筒状をなす部分であり、流入口５１から流入した空気を排出口５３に導くものである。この導風部５２は、垂下部４０に沿って作業者の後頭部から襟足に延びて、その下端が閉じられている。排出口５３は、導風部５２を通った空気を垂下部４０に設けられた空気導入口４２に向かって排出するためのもので、導風部５２のうち作業者の襟首に向かって設けられる。また、排出口５３及び空気導入口４２の周囲には、排出口５３と空気導入口４２とを密着させるための面ファスナ５４，５５が設けられる。
【００２９】
また、本実施形態の頭部冷却構造２には、カバー部５０の上からさらにヘルメット６０を装着することもできる。ヘルメット６０を装着した場合、被覆部２０を通過した空気によってカバー部５０が膨らみ、ヘルメット６０との間にクッション性を有するようになる。
【００３０】
次に、図３を参照して、本実施形態の頭部冷却構造２を使用したときの空気の流れを説明する。図３は、ヘルメット６０を含む構成の頭部冷却構造２である。送風管３０の先端放出部３１から放出された空気（符号ａ）は、帽子部１０の頭頂部１１と被覆部２０との間に広がり、その一部は第１の生地で構成される帽子部１０を通過して頭部を直接に冷却する（符号ｂ）。また、空気の多くは、第１の生地より通気性に優れた第２の生地で構成された被覆部２０を通過する（符号ｃ）。この被覆部２０を通過した空気は、通気性がない第３の生地で構成されるカバー部５０の導風部５２を膨らませながら通過する（符号ｄ）。これにより、ヘルメット６０の重さが直接に作業者の頭部にかからず、ヘルメット６０を装着する不快感を低減させることができる。
【００３１】
また、カバー部５０の流入口５１は、図に示すように被覆部２０の全体と帽子部１０の一部を覆うとともに、作業者の耳の上までを覆っている。これにより、カバー部５０の内部を通過する空気が作業者の耳にかからず、周囲の音を聞く妨げにもならない。さらに、流入口５１は作業者の額から上を覆っているため、作業者の顔面や目にかかる空気も略なくすことができる。次に、導風部５２を膨らませた空気は、そのまま後頭部に向かって流れ、排出口５３を通じて垂下部４０の空気導入口４２から作業者の首を冷却して（符号ｅ）大気に放出される。これらにより、作業者の頭部、後頭部、首を効率よく冷却することができる。
【００３２】
［第３実施形態］
次に、図４ないし図６を説明して本発明の第３実施形態に係る頭部冷却構造３を説明する。本実施形態の頭部冷却構造３は、帽子部１０と、被覆部２０と、送風管３０と、垂下部４１と、カバー部５０（図示せず）と、ヘルメット６０（図示せず）とを備える。帽子部１０、被覆部２０、送風管３０、カバー部５０、ヘルメット６０は第２実施形態と同じ構成であるため説明を省略する。
【００３３】
図４に示すように、垂下部４１は、帽子部１０の側面及び後側の周縁から垂下されるもので、作業者の目の部分を残して口元まで覆うように構成される。また、垂下部４１の襟首に該当する部分には、カバー部５０の排出口５３から排出された空気を導入するための空気導入口４３が設けられる。そして、帽子部１０と垂下部４１とで頭巾状をなしている。これにより、作業者を効果的に保護することができる。
【００３４】
次に、図５を参照して、本実施形態の頭部冷却構造３を使用したときの空気の流れを説明する。図中符号ａ〜ｅまでは、上述の第２実施形態と同じである。次に、空気導入口４３から前方に向かって作業者の首もとを通過した空気は、その一部が下に抜けるとともに（符号ｆ）、一部が作業者の口元に到達する（符号ｇ）。これにより、垂下部４１で作業者の口元を覆っているにもかかわらず、作業者はエアーコンプレッサ等から送られてくる空気を吸うことができ、呼吸を楽にすることができる。特に図６に示すように、コンテナやタンクの洗浄等で飛散する液体を避けるためのフード６２付きの防護服６１を、ヘルメット６０の上から着用するような場合においても、作業者の冷却と呼吸の助けとなり有益である。
【００３５】
なお、上述した各実施形態の頭部冷却構造１，２，３は、本発明の例示である。発明の趣旨を逸脱しない範囲において、その構成を適宜変更することができる。
【符号の説明】
【００３６】
１，２，３・・頭部冷却構造、
１０・・帽子部、１１・・頭頂部、
２０・・被覆部、２１・・周縁、
３０・・送風管、３１・・先端放出部、
４０，４１・・垂下部、４２，４３・・空気導入口、
５０・・カバー部、５１・・流入口、５２・・導風部、５３・・排出口、５４，５５・・面ファスナ、
６０・・ヘルメット、６１・・防護服、６２・・フード、
【図１】
2020084336.tif 000003
【図２】
2020084336.tif 000004
【図３】
2020084336.tif 000005
【図４】
2020084336.tif 000006
【図５】
2020084336.tif 000007
【図６】
2020084336.tif 000008